(57)【要約】【課題】電動ポンプ等の大がかりな装置を用いることなく低コストで、且つ設備を地上に備える必要がなくスペース上の問題もなくて、しかも格納ケース内の水を確実に排除できるポール装置を提供する。【解決手段】ポール３３が突出状態から格納状態になるように動作すると、下降するポール３３によって格納ケース３内の空気が圧縮される。これにより水Ｗが押し出されて、排水管２１、水用逆止弁１９、分岐管１７及び排水管１３を介して格納ケース３の外部へ排出される。このようにポール装置１はポール３３が突出状態から格納状態になるように動作する度に、格納ケース３の内部の水Ｗが外部に排出するための動作が行われる。排水管１３の一端部は地中に埋設された状態となっているが、排水管１３の一端部から出た水は地中に吸収されてしまうので、水Ｗの排出が妨げられることはない。【選択図】        図１
2008038471.tif 000002
【特許請求の範囲】
【請求項１】
地中に埋設され上面が地面から露出する有底の格納ケースと、前記格納ケースの上面開口を閉鎖する蓋体と、前記蓋体に形成されたポール挿入孔に挿入されて、前記格納ケースに格納される格納状態と地面に突出する突出状態とに動作するポールとを具備するポール装置において、前記格納ケース内部と外部とに連通する排水管が備えられていることを特徴とするポール装置。
【請求項２】
請求項１に記載したポール装置において、ポールとポール挿入孔との隙間と格納ケース内部との間を閉鎖する隙間閉鎖手段が備えられていることを特徴とするポール装置。
【請求項３】
請求項１また２に記載したポール装置において、格納ケースには空気孔が設けられ、前記空気孔には格納ケース外部から内部への空気の流入を許容し、且つ格納ケース内部から外部への空気の流出を規制する空気用逆止弁が備えられていることを特徴とするポール装置。
【請求項４】
請求項１から３のいずれかに記載したポール装置において、排水管には格納ケース内部から外部への水の流出を許容し、且つ格納ケース外部から内部への水の流入を規制する水用逆止弁が備えられていることを特徴とするポール装置。
【請求項５】
請求項１から４いずれかに記載したポール装置において、格納ケース内にはポールを格納状態と突出状態とに駆動させるモータが備えられており、格納ケースには前記モータと格納ケースの外部に設けられた外部電源とを電気的に接続する配線を通すための配線用孔が形成され、前記配線用孔に排水管を通したことを特徴とするポール装置。
【請求項６】
請求項５に記載したポール装置において、配線用孔を空気孔としても利用したことを特徴とするポール装置。
【発明の詳細な説明】
【技術分野】
【０００１】
本発明はポール装置に係り、特に屋外の駐車場等に備えられるポール装置に関するものである。
【背景技術】
【０００２】
ポール装置はポール等が格納される格納ケースを備えており、この格納ケースの上面が地面から露出する状態で埋設される。この格納ケースの上面開口は蓋体によって閉鎖されており、蓋体に形成されたポール挿入孔にポールが隙間のない状態に挿入されて、格納ケースに格納される格納状態と地面から突出する突出状態とに動作する。
このポール装置は例えば屋外の駐車場等に備えられ、自動車の進入を許容する場合はポールを格納状態とし、自動車の進入を停止する場合にはポールを突出状態として用いられる。
【０００３】
ポール挿入孔の外周部には合成ゴム等のパッキン等が備えられて、雨水や雪が溶けて生じる水が格納ケース内に浸入するのを防止している。ところが数年或いはそれ以上の期間を経るうちには、ポールとポール挿入孔の外周部との僅かな隙間から雨水等が浸入して格納ケース内に雨水等が溜まることがある。
そこで、格納ケース内に排水管の一端部を備え、この排水管の他端部に電動ポンプを接続しておき、電動ポンプを作動させて格納ケース内の雨水等を排除している。
【発明の開示】
【発明が解決しようとする課題】
【０００４】
しかしながら、格納ケース内に雨水等が溜まるのは、上記したように長年経過してからであり、その他パッキンが劣化したり、ごく希にパッキンが破損したりした場合に限られ、上記従来の電動ポンプ等を備えた排水装置は現実には殆ど使用されていない。この排水装置は電動ポンプ等の大がかりな装置を有しているので、かなりのコストがかかるだけでなく、電動ポンプ等を設置するスペースを地上に確保し、更に雨に濡れないように電動ポンプを収容しておく小屋等の設備まで設ける必要があるというスペース上の問題がある。
【０００５】
本発明は上記従来の問題点に着目して為されたものであり、電動ポンプ等の大がかりな装置を用いることなく低コストで、且つ設備を地上に備える必要がなくスペース上の問題もなくて、しかも格納ケース内の水を確実に排除できるポール装置を提供することを、その目的とする。
【課題を解決するための手段】
【０００６】
本発明は上記課題を解決するためになされたものであり、請求項１の発明は、地中に埋設され上面が地面から露出する有底部の格納ケースと、前記格納ケースの上面開口を閉鎖する蓋体と、前記蓋体に形成されたポール挿入孔に挿入されて、前記格納ケースに格納される格納状態と地面に突出する突出状態とに動作するポールとを具備するポール装置において、前記格納ケース内部と外部とに連通する排水管が備えられていることを特徴とするポール装置である。
【０００７】
請求項２の発明は、請求項１に記載したポール装置において、ポールとポール挿入孔との隙間と格納ケース内部との間を閉鎖する隙間閉鎖手段が備えられていることを特徴とするポール装置である。
【０００８】
請求項３の発明は、請求項１また２に記載したポール装置において、格納ケースには空気孔が設けられ、前記空気孔には格納ケース外部から内部への空気の流入を許容し、且つ格納ケース内部から外部への空気の流出を規制する空気用逆止弁が備えられていることを特徴とするポール装置である。
【０００９】
請求項４の発明は、請求項１から３のいずれかに記載したポール装置において、排水管には格納ケース内部から外部への水の流出を許容し、且つ格納ケース外部から内部への水の流入を規制する水用逆止弁が備えられていることを特徴とするポール装置である。
【００１０】
請求項５の発明は、請求項１から４いずれかに記載したポール装置において、格納ケース内にはポールを格納状態と突出状態とに駆動させるモータが備えられており、格納ケースには前記モータと格納ケースの外部に設けられた外部電源とを電気的に接続する配線を通すための配線用孔が形成され、前記配線用孔に排水管を通したことを特徴とするポール装置である。
【００１１】
請求項６の発明は、請求項５に記載したポール装置において、配線用孔を空気孔としても利用したことを特徴とするポール装置である。
【発明の効果】
【００１２】
本発明のポール装置によれば、電動ポンプ等の大がかりな装置を用いることなくコストを低く抑えることができ、且つ設備を地上に備える必要がなくスペース上の問題もなくて、しかも格納ケースの内部の水を確実に排除することができる。
【発明を実施するための最良の形態】
【００１３】
本発明の実施の形態に係るポール装置１を図面にしたがって説明する。
符号３は格納ケースを示し、この格納ケース３は有底で比較的深さ寸法の大きい箱状をしており、上面に開口５を有している。また格納ケース３の図２、図３において右側面には箱状凸部７が形成されており、この箱状凸部７の右側面には電気配線用の配線用孔９が形成されている。また、格納ケース３の箱状凸部７より上側の面には管挿通孔１１が形成されている。
【００１４】
符号１３は排水管を示し、この排水管１３は管挿通孔１１に挿通されており、その一端部が格納ケース３の外に引き出されている。また、排水管１３の他端部は格納ケース３の底部１５へ向かって延びており、分岐管１７に連結されている。分岐管１７は二股に分岐しており、この分岐した２つの管に水用逆止弁１９がそれぞれ接続されている。これら２つの水用逆止弁１９には排水管２１の一端部がそれぞれ連結されており、他端部は底部１５の近傍にまで延びている。
【００１５】
格納ケース３の箱状凸部７の内側には土砂の流入を防止するための図示しないネットが備えられ、更に箱状凸部７の内側開口を塞ぐようにプレート２５が取り付けられている。プレート２５には１つの配線用孔２８と、２つの空気孔２６が形成され、これらの空気孔２６に空気用逆止弁２７が取り付けられている。
【００１６】
格納ケース３の底部１５にはベース２９が設置されており、このベース２９には脚部が設けられている。従って、ベース２９の下面と底部１５との間には空間が形成される。
ベース２９には上方に向かって延びる４本のガイドシャフト３１が設けられており、ガイドシャフト３１には外形が円柱状のポール３３が上下動自在に支持されている。ポール３３は中空で、その内部の下端部には雌ネジ３５が固定されて設けられている。
【００１７】
更にベース２９には上方に向かって延びるネジシャフト３７が回転自在に支持されて設けられており、ネジシャフト３７はガイドシャフト３１に囲まれた領域の中心に備えられている。このネジシャフト３７はポール３３の雌ネジ３５に螺合している。またネジシャフト３７の下端部はベース２９の下面から突出しており、この突出部分にプーリ３９が取り付けられている。
【００１８】
ベース２９にはモータ支持台４１が設けられており、このモータ支持台４１にはモータ４３がその出力軸を下側にした姿勢で取り付けられている。モータ４３の出力軸には延長軸４５が連結されており、この延長軸４５の下端部はベース２９の下面から突出している。延長軸４５の下端部にはプーリ４７が取り付けられており、このプーリ４７とネジシャフト３７の下端部に取り付けられたプーリ３９とにはタイミングベルト４９が掛け渡されている。
モータ４３は図示しない配線を介して格納ケース３の外部の備えられた外部電源と電気的に接続されている。この配線は配線用孔９，２８を通って格納ケース３の外部に引き出されて外部電源と電気的に接続されている。
【００１９】
格納ケース３の上端部には孔開きプレート５１，５３が側板に固定されて設けられており、これらの孔開きプレート５１，５３は連結シャフト５５によって連結されている。孔開きプレート５１，５３にはポール３３の直径より僅かに大きい丸孔５７，５９がそれぞれ形成されている。丸孔５７の内周面に形成された溝には隙間閉鎖手段としてのパッキン６１がはめ込まれ、丸孔５９の内周面に形成された溝にはＯリング６３がはめ込まれている。パッキン６１は後述するようにポール３３が上昇、下降のいずれの方向へ動作しても、ポール３３の外周面と丸孔５７の内周面との間の隙間を閉鎖することが可能なタイプのものである。
【００２０】
また、格納ケース３の開口５の外周部には段部が設けられ、この段部上に蓋体６５が設置されて開口５が閉鎖されるようになっている。蓋体６５はネジによって格納ケース３に固定される。
蓋体６５には円形のポール挿入孔６７が形成され、このポール挿入孔６７はポール３３の直径よりごく僅かに大きい寸法に設定されている。
孔開きプレート５１の上面は蓋体６５の下面に当接しており、ポール３３とポール挿入孔６７との隙間と格納ケース３の内部との間は、パッキン６１によって閉鎖されている。
【００２１】
図２に示すように、このポール装置１の格納ケース３は地中に埋設され、その上面の開口５を閉鎖する蓋体６５が露出して地面Ｇと同一平面となる。格納ケース３の外部に引き出された排水管１３の一端部は地中に埋設された状態となっている。
ポール装置１のポール３の出入動作について説明する。
図２に示すポール３３が格納ケース３に格納された格納状態において、図示しないスイッチを操作してモータ４３を正転駆動させると、モータ４３の出力軸と共に延長軸４５が駆動する。そして、この駆動力はプーリ４７、タイミングベルト４９及びプーリ３９を介してネジシャフト３７に伝達され、ネジシャフト３７が正転方向へ回転する。これによりネジシャフト３７に螺合する雌ネジ３５が上方へ移動し、雌ネジ３５と共にポール３３がガイドシャフト３１にガイドされて上昇して、図１に示すように地面Ｇから突出する突出状態となる。
【００２２】
上記突出状態において、モータ４３を逆転駆動させると、上記と同様にして駆動力がネジシャフト３７に伝達されて、ネジシャフト３７が逆転方向へ回転する。これによりネジシャフト３７に螺合する雌ネジ３５が下方へ移動し、雌ネジ３５と共にポール３３がガイドシャフト３１にガイドされて下降して、ポール３３は格納ケース３に格納される格納状態となる。
【００２３】
図１に示すように格納ケース３の内部に水Ｗが溜まっている場合、上記したようにポール３３が突出状態から格納状態になるように動作すると、下降するポール３３によって格納ケース３の内部の空気が圧縮される。これにより水Ｗが押し出されて、排水管２１、水用逆止弁１９、分岐管１７及び排水管１３を介して格納ケース３の外部へ排出される。なお、排水管１３の一端部は地中に埋設された状態となっているが、排水管１３の一端部から出た水は地中に吸収されてしまうので、水Ｗの排出が妨げられることはない。
このようにポール装置１はポール３３が突出状態から格納状態になるように動作する度に、格納ケース３の内部の水Ｗが外部に排出するための動作が行われる。従って、格納ケース３の内部の水Ｗが僅かでもあれば外部へ確実に排出され、格納ケース３の内部の水Ｗが溜まるのを完全に防止することができる。
【００２４】
また、空気孔２６に取り付けられた空気用逆止弁２７は、格納ケース３の外部から内部への空気の流入を許容し、且つ格納ケース３の内部から格納ケース３の外部への空気の流出を規制するので、ポール３３が下降する際に格納ケース３内の空気が空気用逆止弁２７から排出されることない。しかも、前述のようにポール３３とポール挿入孔６７との隙間と格納ケース３の内部との間は、パッキン６１によって閉鎖されているので、格納ケース３の内部の空気の殆どが水Ｗの排出に寄与する。
【００２５】
水用逆止弁１９は格納ケース３の内部から外部への水Ｗの排除を許容し、且つ格納ケース３の外部から格納ケース３の内部への水Ｗの流入を規制するので、水Ｗが格納ケース３の外部から内部へ逆流することはない。
【００２６】
空気用逆止弁２７は格納ケース３の外部から内部への空気の流入を許容するので、ポール３３が格納状態から突出状態になるように動作する際には、空気孔２６を介して格納ケース３の外部から内部へ空気が流入する。従って、ポール３３の上昇を妨げる抵抗が生じることはなく、ポール３３はスムーズに上昇することができる。
【００２７】
このようにポール装置１は、排水管１３、２１、分岐管１７、水用逆止弁１９及び空気用逆止弁２７の安価な部品を用いているので、格納ケース３内の水を排出するための装置を備えたポール装置１を低コストで製作することが可能である。
また、従来の排水装置のように電動ポンプや、それを収容する小屋等の設備を地上に備える必要がなくスペース上の問題も発生することはない。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では排水管１３を管挿通孔１１から引き出すようにしたが、配線用孔９、２８から格納ケース３の外部に引き出す構成としてもよい。また蓋体６５に孔を形成して、この孔から排水管１３を格納ケース３の外部に引き出す構成としてもよい。
また、配線用孔９、２８を空気孔として、空気用逆止弁２７を配線用孔２８に取り付けるようにしてもよい。
【００２９】
更に、水用逆止弁１９と空気用逆止弁２７のいずれか一方、または両方を備えない構成とすることも可能である。
なお、孔開きプレート５１，５３のいずれか一方、または両方を備えずに、パッキン６１とＯリング６３のいずれか一方、または両方を備えない構成とすることも可能である。
【００３０】
なお、上記ポール装置はポールを突出状態と格納状態とに動作させるのに、電動モータを用いる所謂電動タイプのものであるが、本発明はこれに限定されず、ポールを手動によって突出状態と格納状態とに動作させる、所謂手動タイプのポール装置に適用することも可能である。
【産業上の利用可能性】
【００３１】
本発明のポール装置は電動ポンプ等の設備を地上に備える必要がないので、屋外の自由に備えることができ、その利用可能性を広げることができる。
【図面の簡単な説明】
【００３２】
【図１】本発明の実施の形態に係るポール装置のポールの突出状態における断面図である。
【図２】図１のポール装置のポールの格納状態における断面図である。
【図３】図１のポール装置のポールの格納状態における斜視図である
【符号の説明】
【００３３】
１  ポール装置      ３  格納ケース      ５  開口
７  箱状凸部      ９  、２８  配線用孔      １１  管挿通孔
１３  排水管      １５  底部      １７  分岐管
１９  水用逆止弁      ２１  排水管      ２５  プレート
２６  空気孔      ２７  空気用逆止弁      ２９  ベース
３１  ガイドシャフト      ３３  ポール      ３５  雌ネジ
３７  ネジシャフト      ３９  プーリ      ４１  モータ支持台
４３  モータ      ４５  延長軸      ４７  プーリ
４９  タイミングベルト      ５１，５３  孔開きプレート
５５  連結シャフト      ５７，５９  丸孔
６１  パッキン      ６３  Ｏリング      ６５  蓋体
６７  ポール挿入孔      Ｇ  地面      Ｗ  水
【図１】
2008038471.tif 000003
【図２】
2008038471.tif 000004
【図３】
2008038471.tif 000005